Podtech/llm-jp-corpus-v4-ja_patent huggingface dataset:
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
粒子を含む試料の特徴を評価する方法であって、
第１粒子特性評価技術を用いて、試料について第１測定を実施することと、
前記第１粒子特性評価技術から粒子分離装置へ前記試料を流すことと、
前記粒子分離装置により前記試料を分離することと、
前記分離された試料について第２測定を実施することと、
前記第１測定と前記第２測定を比較して、前記試料の粒子全てが前記分離装置を通過したかを判断することと、
を含む、方法。
【請求項２】
前記粒子分離装置はクロマトグラフィーカラムを含み、任意で、該クロマトグラフィーカラムはサイズ排除クロマトグラフィーカラムである、
請求項１に記載の方法。
【請求項３】
前記試料の粒子特性分布を決定することを更に含み、任意で、該粒子特性は、粒子質量又は粒径である、
請求項１又は２に記載の方法。
【請求項４】
前記分離装置から前記第１粒子特性評価技術に前記試料を戻すように流すことを更に含む、
請求項１から３のいずれか一項に記載の方法。
【請求項５】
前記第２測定を実施することは、前記第１粒子特性評価技術を用いて前記試料について前記第２測定を実施することを含む、
請求項１から４のいずれか一項に記載の方法。
【請求項６】
前記粒子分離装置で前記試料を分離する前、及び、後の少なくとも一方に、前記試料について追加の測定を実施することを更に含み、
前記追加の測定を実施することは、任意で、前記第１粒子特性評価技術を用いて前記試料について追加の測定を実施すること、又は、第２粒子特性評価技術を用いて前記試料について追加の測定を実施すること、を含み、該第２粒子特性評価技術は前記第１粒子特性評価技術とは異なる、
請求項１から５のいずれか一項に記載の方法。
【請求項７】
前記第１測定と前記第２測定とを比較することは、
前記第２測定が前記第１測定と一致するかを判断することと、
前記第２測定が前記第１測定と一致する場合には、前記試料の粒子全てが前記分離装置を通過したと判断することと、
前記第２測定が前記第１測定と一致しない場合には、前記試料の粒子全てが前記分離装置を通過したわけではないと判断することと、を含む、
請求項１から６のいずれか一項に記載の方法。
【請求項８】
前記第１粒子特性評価技術から前記粒子分離装置に前記試料を流すことは、前記第１粒子特性評価技術から前記粒子分離装置に前記試料を方向付けるように、弁を操作することを含む、
請求項１から７のいずれか一項に記載の方法。
【請求項９】
前記第１粒子特性評価技術及び第２粒子特性評価技術の少なくとも一方は、１つ以上のアンサンブル粒子特性評価技術を含み、
前記１つ以上のアンサンブル粒子特性評価技術は、任意で、ＵＶ分光、動的光散乱、静的光散乱、テイラー分散分析、及びＵＶ測光を含むグループから選定される、
請求項１から８のいずれか一項に記載の方法。
【請求項１０】
第１粒子特性評価技術に従って測定を実施する測定システムと、
粒子を含む試料を分離する粒子分離装置と、
を含む粒子特性評価プラットフォームであって、
前記粒子特性評価プラットフォームは、請求項１から９のいずれか一項に記載の方法を実施するように構成される、
粒子特性評価プラットフォーム。
【請求項１１】
前記粒子分離装置は、クロマトグラフィーカラムを含み、任意で、該クロマトグラフィーカラムは、サイズ排除クロマトグラフィーカラムであり、かつ／又は、
前記測定システムは、第２粒子特性評価技術に従って測定を実施するように更に構成される、
請求項１０に記載の粒子特性評価プラットフォーム。
【請求項１２】
前記粒子特性評価プラットフォームは、前記第１測定を実施するために前記測定システムに試料を流し、その後、前記試料を分離するために前記粒子分離装置に前記試料を流し、そしてその後、前記第２測定を実施するために前記測定システムに前記試料を戻すように流すように構成される、
請求項１０又は１１に記載の粒子特性評価プラットフォーム。
【請求項１３】
前記測定システムは第１測定システムであり、前記粒子特性装置は第２測定システムを含み、前記粒子特性評価プラットフォームは、試料を、前記第１測定を実施するために前記第１測定システムに流し、その後、前記試料を分離するために前記粒子分離装置に前記試料を流し、そしてその後、前記第２測定を実施するために前記第２測定システムに前記試料を流すように構成される、
請求項１０から１２のいずれか一項に記載の粒子特性評価プラットフォーム。
【請求項１４】
前記第１測定及び前記第２測定の少なくとも一方は、ＵＶ測光と光散乱を含む、
請求項１０から１３のいずれか一項に記載の粒子特性評価プラットフォーム。
【請求項１５】
前記装置は、
ｉ）対象の粒子の相対分子量の大きさに応じたモノマー、
ｉｉ）前記モノマーよりも小さい粒径又は分子量を持つ粒子、
ｉｉｉ）モノマーのオリゴマー、又は、モノマーより大きい粒径又は分子量を持ち、前記第２測定から排除される粒径又は分子量までの粒子、及び
ｉｖ）第２測定から排除される粒子を含む大きな凝集体、
のカテゴリにおいて、前記試料の比率の定量分析を提供するように構成される、
請求項１０から１４のいずれか一項に記載の粒子特性評価プラットフォーム。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
制御操作が電子制御ユニット（３）の作用を受け得る車両（２）のＧＮＳＳセンサ（１）の動作方法であって、前記方法は少なくとも、
ａ）衛星データを受信するステップと、
ｂ）前記衛星データを評価するステップと、
ｃ）前記衛星データの少なくとも一部が前記車両（２）の位置特定に適していない場合に、前記ＧＮＳＳセンサ（１）の少なくとも１つの動作モードを非活性化するステップと、
を含む方法。
【請求項２】
前記衛星データが誤りを含んでいる又は妨害されているという情報を、前記ＧＮＳＳセンサ（１）が前記衛星データから得ると、前記ＧＮＳＳセンサ（１）の前記少なくとも１つの動作モードを非活性化する、請求項１に記載の方法。
【請求項３】
前記衛星データが誤りを含んでいる又は妨害されているという情報が、前記ＧＮＳＳセンサ（１）に通信リンクを介して供給されると、前記ＧＮＳＳセンサ（１）の前記少なくとも１つの動作モードを非活性化する、請求項１又は２に記載の方法。
【請求項４】
前記車両（２）が特定の領域に存在する場合に、前記ＧＮＳＳセンサ（１）の前記少なくとも１つの動作モードを非活性化する、請求項１乃至３のいずれか一項に記載の方法。
【請求項５】
前記ＧＮＳＳセンサ（１）の前記少なくとも１つの動作モードの前記非活性化を上位のシステムに通知する、請求項１乃至４のいずれか一項に記載の方法。
【請求項６】
前記上位のシステムが活性化信号を発生させると、前記ＧＮＳＳセンサ（１）の前記少なくとも１つの動作モードを再び活性化する、請求項５に記載の方法。
【請求項７】
特定の衛星システムに割り当てられている前記ＧＮＳＳセンサ（１）の前記動作モードを非活性化する、請求項１乃至６のいずれか一項に記載の方法。
【請求項８】
車両（２）の動作方法であって、前記車両の制御操作は、電子制御ユニット（３）の作用を受け得るものであり、前記方法は少なくとも、
ａ）請求項１乃至７のいずれか一項に記載の方法に従って動作させられるＧＮＳＳセンサ（１）を使用して前記車両（２）の位置を特定するステップと、
ｂ）前記ＧＮＳＳセンサ（１）の少なくとも１つの動作モードが非活性化された場合に、前記電子制御ユニット（３）の作用を受けることを、前記車両（２）の前記制御操作の少なくとも１つに制限するステップと、
を含む方法。
【請求項９】
請求項１乃至７のいずれか一項に記載の方法を実施するように設定及び構成されている制御ユニット（３）。
【請求項１０】
ＧＮＳＳセンサ（１）と、請求項９に記載された制御ユニット（３）とを備える車両（２）であって、
前記車両（２）の制御操作は、電子制御ユニット（３）の作用を受け得るものである、
車両（２）。
【請求項１１】
制御ユニット（３）によって、請求項１乃至７のいずれか一項に記載の方法を実施するために構成されているコンピュータプログラム。
【請求項１２】
請求項１１に記載のコンピュータプログラムが記憶されている機械可読記憶媒体。
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
５００〜１０，０００Ｄａの平均分子量を有するデキストラン（ｄｅｘｔｒａｎ）を有効成分として含む、関節疾患または結合組織疾患の予防または治療用組成物。
【請求項２】
３，０００〜８，０００Ｄａの平均分子量を有するデキストランを有効成分として含んでなり、デキストランの濃度が、２〜３０（ｗ／ｖ）％の範囲である、請求項１に記載の組成物。
【請求項３】
３，０００〜６，０００Ｄａの平均分子量を有するデキストランを有効成分として含んでなり、デキストランの濃度が、２〜３０（ｗ／ｖ）％の範囲である、請求項１に記載の組成物。
【請求項４】
５，０００Ｄａの平均分子量を有するデキストランを有効成分として含んでなり、デキストランの濃度が、２〜３０（ｗ／ｖ）％の範囲である、請求項１に記載の組成物。
【請求項５】
ｉ）３，０００〜８，０００Ｄａの平均分子量を有するデキストランと、ｉｉ）５００〜１，３００Ｄａの平均分子量を有するデキストランと、の混合物を含んでなり、ｉ）のデキストランの濃度が、２〜４０（ｗ／ｖ）％の範囲であり、ｉｉ）のデキストランの濃度が、２．５〜４０（ｗ／ｖ）％の範囲である、請求項１に記載の組成物。
【請求項６】
ｉ）３，０００〜６，０００Ｄａの平均分子量を有するデキストランと、ｉｉ）８００〜１，３００Ｄａの平均分子量を有するデキストランと、の混合物を含んでなり、ｉ）のデキストランの濃度が、２〜４０（ｗ／ｖ）％の範囲であり、ｉｉ）のデキストランの濃度が、２．５〜４０（ｗ／ｖ）％の範囲である、請求項１に記載の組成物。
【請求項７】
ｉ）５，０００Ｄａの平均分子量を有するデキストランと、ｉｉ）１，０００Ｄａの平均分子量を有するデキストランと、の混合物を含んでなり、ｉ）のデキストランの濃度が、２〜４０（ｗ／ｖ）％の範囲であり、ｉｉ）のデキストランの濃度が、２．５〜４０（ｗ／ｖ）％の範囲である、請求項１に記載の組成物。
【請求項８】
ｉｉ）のデキストランの濃度（ｗ／ｖ）およびｉ）のデキストランの濃度（ｗ／ｖ）の比率が、１：０．０１〜１：２０の範囲である、請求項５、６または７に記載の組成物。
【請求項９】
ポロキサマー（ｐｏｌｏｘａｍｅｒ）をさらに含む、請求項１に記載の組成物。
【請求項１０】
前記組成物が、５，０００Ｄａの平均分子量を有するデキストランを含んでなり、デキストランの濃度が、２〜４０（ｗ／ｖ）％の範囲であり、かつ前記ポロキサマーの濃度が、１〜２０（ｗ／ｖ）％の範囲である、請求項９に記載の組成物。
【請求項１１】
前記組成物が、
ｉ）１，０００Ｄａの平均分子量を有するデキストランとポロキサマーを含んでなり、前記デキストランの濃度が、２．５〜４０（ｗ／ｖ）％の範囲であり、かつ前記ポロキサマーの濃度が、１〜５（ｗ／ｖ）％の範囲であるか、または
ｉｉ）１，０００Ｄａの平均分子量を有するデキストランとポロキサマーを含んでなり、前記デキストランの濃度が、４５〜５５（ｗ／ｖ）％の範囲であり、かつ前記ポロキサマーの濃度が、１〜２（ｗ／ｖ）％の範囲である、請求項９に記載の組成物。
【請求項１２】
前記組成物が、
ｉ）５００〜１，３００Ｄａの平均分子量を有するデキストランとポロキサマーを含んでなり、前記デキストランの濃度が、２．５〜４０（ｗ／ｖ）％の範囲であり、かつ前記ポロキサマーの濃度が、１〜５（ｗ／ｖ）％の範囲であるか、または
ｉｉ）５００〜１，３００Ｄａの平均分子量を有するデキストランとポロキサマーを含んでなり、前記デキストランの濃度が、４５〜５５（ｗ／ｖ）％の範囲であり、かつ前記ポロキサマーの濃度が、１〜２（ｗ／ｖ）％の範囲である、請求項９に記載の組成物。
【請求項１３】
前記組成物内のデキストラン：ポロキサマーの濃度（ｗ／ｖ）％の比率は、１：０．０１〜１：４０である、請求項９に記載の組成物。
【請求項１４】
前記ポロキサマーは、１００〜２０，０００Ｄａの平均分子量を有する、請求項９に記載の組成物。
【請求項１５】
前記ポロキサマーは、ポロキサマー１０１、ポロキサマー１０５、ポロキサマー１０５ベンゾエート、ポロキサマー１０８、ポロキサマー１２２、ポロキサマー１２３、ポロキサマー１２４、ポロキサマー１８１、ポロキサマー１８２、ポロキサマー１８２ジベンゾエート、ポロキサマー１８３、ポロキサマー１８４、ポロキサマー１８５、ポロキサマー１８８、ポロキサマー２１２、ポロキサマー２１５、ポロキサマー２１７、ポロキサマー２３１、ポロキサマー２３４、ポロキサマー２３５、ポロキサマー２３７、ポロキサマー２３８、ポロキサマー２８２、ポロキサマー２８４、ポロキサマー２８８、ポロキサマー３３１、ポロキサマー３３３、ポロキサマー３３４、ポロキサマー３３５、ポロキサマー３３８、ポロキサマー４０１、ポロキサマー４０２、ポロキサマー４０３およびポロキサマー４０７からなる群から選択されるものである、請求項９に記載の組成物。
【請求項１６】
前記組成物が、１，０００Ｄａの平均分子量を有するデキストランを有効成分として含んでなり、デキストランの濃度が、２〜４０（ｗ／ｖ）％の範囲である、請求項１に記載の組成物。
【請求項１７】
前記結合組織は、軟骨、椎間円板、腱、靭帯、骨、皮膚、血管または腸管組織である、請求項１に記載の組成物。
【請求項１８】
前記関節疾患または結合組織疾患は、骨関節炎、反復的な摩擦力とそれによって発生する退行性関節炎、強直性脊椎炎、乾癬性関節炎、外傷性関節炎、関節リウマチ、膝蓋大腿症疼痛候群、慢性炎症および関節症からなる群から選択された１種以上を含む、請求項１に記載の組成物。
【請求項１９】
前記結合組織疾患は、炎症性骨関節疾患、炎症性皮膚炎、炎症性眼疾患、炎症性筋肉炎、炎症性消化管疾患、軟骨疾患、血管炎、および捻挫からなる群から選択された１種以上を含む、請求項１に記載の組成物。
【請求項２０】
幹細胞をさらに含む、請求項１に記載の組成物。
【請求項２１】
５００〜１０，０００Ｄａの平均分子量を有するデキストラン（ｄｅｘｔｒａｎ）を有効成分として含む、軟骨再生用組成物。
【請求項２２】
ポロキサマーを有効成分として含む、関節疾患または結合組織疾患の予防または治療用組成物。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
経口吸入用の粉末組成物であって、
前記組成物は、クロモリンの医薬的に許容される塩又はエステルを、前記クロモリンの医薬的に許容される塩又はエステルの粒子を備える粉末の形態で、約１６．１ｍｇから約１９．９ｍｇ含み、
前記粒子の大部分が、約２ミクロンから約５ミクロンの直径を有し、
前記組成物は、前記クロモリンの医薬的に許容される塩又はエステルの投与された量のうちの
（ａ）少なくとも３．０ｍｇ、及び
（ｂ）少なくとも２０重量％を、
６０Ｌ／分から８０Ｌ／分の流量で、次世代医薬インパクタ（ＮＧＩ）カスケードインパクタ装置のステージ４及びこれより高いステージに堆積させる装置を用いて、デリバリー可能なものである、経口吸入用の粉末組成物。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
−皮膚を冒す障害及び/若しくは病態並びにそれらと関連した症状；
−皮膚創傷治癒過程の促進；
−皮膚再上皮化過程の促進であって、再上皮化過程はそれらと関連した病態又は症状と関連するもの；
−皮膚瘢痕形成過程の促進；及び/又は
−UV照射、UV-A及び/又はUV-Bへの曝露に起因/関係する皮膚損傷及び/又は影響
を処置、防止及び/又は治療する方法における使用のための、受託番号DSM26760としてDeutsche Sammlung von Mikroorganismen und Zellkulturen GmbH (DSMZ)においてラクトバチルス・パラカゼイLPC-S01寄託物として同定されるラクトバチルス・パラカゼイ種に属する細菌株。
【請求項２】
−皮膚を冒す障害及び/若しくは病態並びにそれらと関連した症状；
−皮膚創傷治癒過程の促進；
−皮膚再上皮化過程の促進であって、再上皮化過程はそれらと関連した病態又は症状と関連するもの；
−皮膚瘢痕形成過程の促進；及び/又は
−UV照射、UV-A及び/又はUV-Bへの曝露に起因/関係する皮膚損傷及び/又は影響
を処置、防止及び/又は治療する方法における使用のための、受託番号CNCMI-1572としてCollection Nationale de Cultures de Microorganismes (CNCM)においてラクトバチルス・パラカゼイDG(登録商標)寄託物として同定されるラクトバチルス・パラカゼイ種に属する細菌株。
【請求項３】
−皮膚を冒す障害及び/若しくは病態並びにそれらと関連した症状；
−皮膚創傷治癒過程の促進；
−皮膚再上皮化過程の促進であって、再上皮化過程はそれらと関連した病態又は症状と関連するもの；
−皮膚瘢痕形成過程の促進；及び/又は
−UV照射、UV-A及び/又はUV-Bへの曝露に起因/関係する皮膚損傷及び/又は影響
を処置、防止及び/又は治療する方法における使用のための、ラクトバチルス・パラカゼイLPC-S01 DSM26760細菌株及び/又はラクトバチルス・パラカゼイDG(登録商標) CNCMI-1572細菌株を含む組成物。
【請求項４】
前記皮膚を冒す障害及び/若しくは病態が、炎症型のものである、請求項1から3のいずれか一項に記載の使用のための細菌株又は組成物。
【請求項５】
前記皮膚を冒す障害及び/又は病態が、皮膚炎、刺激作用及び擦過傷に関連した皮膚炎、ざ瘡、皮膚感染症、皮膚炎症、紅斑、潰瘍、乾癬、アトピー性皮膚炎、耳炎、ひび割れ、瘻孔、痔核、並びに進行中の炎症過程が存在する任意の他の皮膚障害若しくは病変から選択される、請求項1から4のいずれか一項に記載の使用のための細菌株又は組成物。
【請求項６】
前記UV照射への曝露に起因/関係する皮膚損傷及び/又は影響が、紅斑、色素沈着、角化症、過角化症、日焼け、熱傷、光線性光老化若しくは日光弾力線維症、皮質白内障、翼状片、口腔ヘルペスの再活性化、皮膚メラノーマ、皮膚の扁平上皮癌、基底細胞癌、角膜若しくは結膜の扁平上皮癌、好ましくは、唇及び/若しくは結膜への損傷から選択される、請求項1から5のいずれか一項に記載の使用のための細菌株又は組成物。
【請求項７】
前記皮膚を冒す障害及び/又は病態が、病原体に関連し、又はそれにより引き起こされ、好ましくは前記病原体は、細菌病原体であり、より好ましくは前記細菌病原体は、プロピオニバクテリウム・アクネ；スタフィロコッカス・エピデルミディス、スタフィロコッカス・アウレウス、スタフィロコッカス・ワーネリ；コリネバクテリウム種；シュードモナス・エルジノーサ；アシネトバクター・ジョンソニイ；ストレプトコッカス・ピオゲネス；ミクロコッカス種、及びブレビバクテリウム種から選択される、請求項1から6のいずれか一項に記載の使用のための細菌株又は組成物。
【請求項８】
細菌、真菌、酵母、及びそれらの組合せから成る群から選択される微生物を更に含み、前記細菌が、ラクトバチルス属、ビフィドバクテリウム属、バチルス属、プロピオニバクテリウム属、ストレプトコッカス属、ラクトコッカス属、アエロコッカス属、及びエンテロコッカス属から成る群から選択される少なくとも1つの属に属し、好ましくは前記細菌が、ラクトバチルス属に属する、請求項3から7のいずれか一項に記載の使用のための組成物。
【請求項９】
前記細菌株が、生きている、請求項1から8のいずれか一項に記載の使用のための細菌株又は組成物。
【請求項１０】
前記細菌株が、死滅している、又は間欠滅菌されている(tyndallized)、又は溶菌液及び/若しくは抽出物の形態である、又は細菌の産物の形態である、又は上清の形態である、又は好ましくは、その代謝産物、代謝バイオプロダクト、ポストバイオティクス、細胞壁及びその成分、エキソポリサッカライド、並びに好ましくはリボソーム及び糖タンパク質、免疫賦活剤誘導体、グルカン及び他のポリサッカライド、リポポリサッカライド、及び上清の任意の成分から選択される免疫原性成分を含有する化合物から選択される、派生物の形態である、請求項1から9のいずれか一項に記載の使用のための細菌株又は組成物。
【請求項１１】
前記細菌株が、106〜1011細菌株単位の間、より好ましくは、108〜109細菌株単位の間の範囲の量で存在し、前記量が、好ましくは、1日あたりの量/用量(一日量)である、請求項1から10のいずれか一項に記載の使用のための細菌株又は組成物。
【請求項１２】
局所的使用のための、好ましくは、クリーム剤、ゲル剤、オイル剤、乳濁液剤、スプレー剤、ガーゼ、パッチ剤、絆創膏、ローション剤、ムース剤、軟膏剤、ペースト剤、又は即時調製のための液体製剤の形態である、請求項1から11のいずれか一項に記載の使用のための細菌株又は組成物。
【請求項１３】
経口投与のために製剤化され、好ましくは、固体製剤、好ましくは、丸剤、カプセル剤、錠剤、顆粒剤、ハードシェルカプセル剤、口腔内溶解顆粒剤、又はトローチ剤の形態で、固形製剤として、或いは別法として、好ましくは即時調製物用の液体の形態で、液体製剤として、製剤化される、請求項1から12のいずれか一項に記載の使用のための細菌株又は組成物。
【請求項１４】
UV照射、UV-A及び/又はUV-Bへの曝露に起因/関係する皮膚損傷及び/又は影響を防止及び/又は軽減するための、請求項1から13のいずれか一項に記載の細菌株又は組成物の美容的使用。
【請求項１５】
UV照射への曝露に起因/関係する皮膚損傷及び/又は影響が、皮膚老化を防止及び/又は軽減する、請求項14に記載の美容的使用。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
２つの画像データセットを空間的にレジストレーションするための画像データ処理方法であって、前記方法は、
２つの異なる４次元画像データセットを取得するステップであって、各４次元画像データセットは、共通の解剖学的領域の３次元画像フレームの時系列を表す画像データを含む、ステップと、
前記４次元画像データセットごとに、それぞれの３次元動きベクトルを特定するステップであって、前記３次元動きベクトルは、前記４次元画像データセット内に含まれる前記３次元画像フレームのそれぞれの時系列の少なくとも一部の経過を通しての最大空間変位を示す、特定された３次元サブ領域の動きを示す、ステップと、
それぞれの前記３次元動きベクトルを位置合わせさせるように、前記４次元画像データセットの一方又は両方の回転及び並進を実行するステップと、
前記２つの画像データセットを空間的にレジストレーションさせるような、画像レジストレーション手順に基づいて、位置合わせされた３次元動きベクトルを有する画像データセットの一方又は両方の更なる変換を実行するステップとを有する、方法。
【請求項２】
前記３次元動きベクトルを特定することは、前記４次元画像データセットのうちの少なくとも１つの画像データセットに関して、当該画像データセットを処理して、対応する低減解像度画像データセットを導出することと、前記低減解像度画像データセット内で、前記４次元画像データセットによって表される３次元画像フレームの系列の少なくとも一部にわたる最大空間変位を示す前記３次元サブ領域を特定することとを含む、請求項１に記載の方法。
【請求項３】
前記低減解像度データセット内で特定された前記３次元サブ領域に対応する、元の画像データセット内の３次元サブ領域を特定することを更に含み、前記３次元動きベクトルを特定することは、前記元の画像データセット内の対応する領域の動きを示すベクトルを特定することを含む、請求項２に記載の方法。
【請求項４】
少なくとも１つの前記４次元画像データセットを処理して、それぞれが異なるそれぞれの解像度を有する複数の低減解像度画像データセットを導出することと、最も低い解像度を有する低減解像度画像データセット内で最大空間変位を示す３次元サブ領域を特定することとを有する、請求項２又は３に記載の方法。
【請求項５】
前記元の画像データセット内の対応するサブ領域を特定することは、最も解像度が低いデータセットから始めて、前記低減解像度画像データセット間で次々に最大空間変位の特定されたサブ領域を順次にマッピングし、その後に、前記元の画像データセットに進むことを含む、請求項３及び４に記載の方法。
【請求項６】
前記複数の低減解像度画像データセットはそれぞれ、全体サイズが縮小された３Ｄ画像フレームのそれぞれの時系列を表し、１つの低減解像度画像データセットから別の低減解像度画像データセットへのマッピングは、２つの低減解像度画像データセットの３Ｄ画像フレームの相対的なサイズの差に比例して、最大変位の特定された前記サブ領域のサイズを拡大することを含む、請求項５に記載の方法。
【請求項７】
前記画像レジストレーション手順は、各画像データセットによって含まれる１つ又は複数のフレーム間で求められる類似度尺度を最大化することに基づく、請求項１から６の何れか一項に記載の方法。
【請求項８】
前記更なる変換は並進を含む、請求項１から７の何れか一項に記載の方法。
【請求項９】
前記２つの４次元画像データセットは、解剖学的領域の異なる空間的視点を表す画像データを含む、請求項１から８の何れか一項に記載の方法。
【請求項１０】
２つの前記空間的視点に対応する視認方向は、少なくとも２５度の角度だけ離れている、請求項９に記載の方法。
【請求項１１】
前記低減解像度画像データセットを生成することは、ローパス空間フィルタを用いて、前記４次元画像データセットを処理することを含む、請求項２から１０の何れか一項に記載の方法。
【請求項１２】
前記方法は超音波画像データ処理方法であり、任意選択で前記２つの４次元画像データセットによって表される共通の解剖学的領域は、心臓の心尖部四腔断層像によって包含される領域に対応する、請求項１から１１の何れか一項に記載の方法。
【請求項１３】
２つの異なる４次元画像データセットを取得することであって、各前記４次元画像データセットは共通の解剖学的領域の３次元画像フレームの時系列を表す画像データを含む、取得することと、
前記４次元画像データセットごとに、それぞれの３次元動きベクトルを特定することであって、前記３次元動きベクトルは、前記４次元画像データセット内に含まれる前記３次元画像フレームのそれぞれの時系列の少なくとも一部の経過を通しての最大空間変位を示す、特定された３次元サブ領域の動きを示す、特定することと、
前記それぞれの３次元動きベクトルを位置合わせさせるように、前記４次元画像データセットの一方又は両方の回転及び並進を実行することと、
前記２つの４次元画像データセットを空間的にレジストレーションさせるような、画像レジストレーション手順に基づいて、位置合わせされた３次元動きベクトルを有する前記４次元画像データセットの一方又は両方の更なる変換を実行することとを行うプロセッサを備える、画像処理デバイス。
【請求項１４】
１つ又は複数の超音波トランスデューサユニットと、
請求項１３に記載の画像処理デバイスとを備える、超音波撮像システムであって、
前記画像処理デバイスの前記プロセッサは、前記超音波撮像システムのプロセッサアセンブリに含まれ、
前記プロセッサは更に、前記１つ又は複数の超音波トランスデューサユニットから受信された信号データを処理して、前記２つの異なる４次元画像データセットを取得する、超音波撮像システム。
【請求項１５】
前記超音波撮像システムは２つの超音波トランスデューサユニットを備え、前記２つの異なる４次元画像データセットは、前記２つの超音波トランスデューサユニットの異なるユニットから受信される信号データを用いて取得されるか、又は、
前記超音波撮像システムは単一の超音波トランスデューサユニットを備え、前記２つの異なる４次元画像データセットは、異なるそれぞれの期間にわたって前記単一のトランスデューサユニットによって取り込まれた信号データを用いて取得される、請求項１４に記載の超音波撮像システム。
【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
往復式の皮膚穿孔用デバイスに用いられる針モジュールであって、針ユニットと、ハウジングと、付勢機構とを備え、前記針ユニットが針を備えて、前記ハウジングに対して、前記針の遠位端が前記ハウジングの遠位端から延在する伸長位置と前記針の遠位端が前記ハウジング内に配置される格納位置との間で移動可能であり、前記付勢機構が前記針ユニットを前記格納位置に向けて付勢するように配置された針モジュールにおいて、さらに制限機構を備え、
前記制限機構が、前記ハウジングの遠位端から外への前記針ユニットの相対移動を、前記伸長位置に向かう移動時に最大伸長距離に制限するように配置され、前記最大伸長距離が1．5mm以下である、往復式の皮膚穿刺用デバイスに用いられる針モジュール。
【請求項２】
前記制限機構が、前記針ユニットと前記ハウジングとの前記相対移動を制限するための相互に協働する停止面を備える、請求項1に記載の針モジュール。
【請求項３】
前記格納位置において、前記針ユニットの近位端が前記ハウジング内に延在する、請求項１又は２に記載の針モジュール。
【請求項４】
前記制限機構が、前記格納位置において、前記針の近位端の変位を制限するためにさらに配置され、前記針の近位端が前記ハウジング内に保持される、請求項３に記載の針モジュール。
【請求項５】
前記付勢機構が、前記針の近位端を前記ハウジング内に保持するようにさらに配置される、請求項３又は４に記載の針モジュール。
【請求項６】
前記ハウジングが、前記皮膚に導入するためのインクなどの着色剤を収容したリザーバを備える、請求項１から５のいずれか一項に記載の針モジュール。
【請求項７】
請求項１乃至６の何れかに記載の針モジュールと、駆動デバイスを備え、該駆動デバイスは、前記針ユニットを往復移動させる駆動ロッドを往復するように駆動するモータを備えている往復式の皮膚穿刺用デバイス。
【請求項８】
前記格納位置と前記伸長位置との間で前記針ユニットを往復駆動するための分離機構をさらに備え、前記分離機構が、往復駆動されるように配置された第1の端部と、前記針ユニットを駆動するように配置された第2の端部とを備え、前記第1の端部と前記第2の端部とが互いに対して移動可能であり、前記第1の端部が第1の変位振幅で往復移動可能であり、前記第2の端部が、前記第1の変位振幅よりも小さい第2の変位振幅で移動可能である、請求項７に記載のデバイス。
【請求項９】
前記針モジュールが、前記針モジュールを前記駆動デバイスに取り付けると前記針の遠位端が中間位置に移動するように配置され、前記中間位置が前記伸長位置と前記格納位置との間に位置する、請求項７又は８に記載のデバイス。
【請求項１０】
前記モータが、前記モータと前記駆動ロッドとの間に配置された前記分離機構を介して前記針ユニットに結合され、前記第2の端部が前記駆動ロッドを受容する、請求項７乃至９の何れかに記載のデバイス。
【請求項１１】
前記針ユニットの前記伸長位置を設定するためのスペーサをさらに備え、前記スペーサが駆動デバイスと前記針モジュールとの間の位置付けのために配置されて、前記ハウジングと前記駆動デバイスの駆動ロッドとの前記相対位置を調整する、請求項７乃至１０のいずれか一項に記載のデバイス。
【請求項１２】
前記デバイスが、前記針モジュール、スペーサ、及び/又は駆動デバイスをバヨネット連結によって相互連結することができるように配置される、請求項７乃至１１のいずれか一項に記載のデバイス。
【請求項１３】
非磁性部品からなり、前記針はチタンまたはアルミニウムなどの非磁性材料から製造される、請求項７乃至１２の何れかに記載のデバイス。
【請求項１４】
前記モータが空気圧モータを含む、請求項１３に記載のデバイス。
【請求項１５】
−請求項７乃至１４のいずれか一項に記載のデバイスを提供するステップと、
−着色剤を提供するステップと、
−前記針を往復駆動させてヒトの皮膚に穿刺し、前記針を使用して前記皮膚の上層に前記着色剤を沈着させるステップとを含む、
ヒトの皮膚にインクを導入する方法。
【手続補正書】
【提出日】令和3年9月14日(2021.9.14)
【手続補正１】
【補正対象書類名】特許請求の範囲
【補正対象項目名】全文
【補正方法】変更
【補正の内容】
【特許請求の範囲】
【請求項１】
能動快適制御寝具システムであって、
複数の空気袋状部を備えるインナーコアユニットであって、前記複数の空気袋状部の各々はそれぞれの空気袋状部内の圧力を測定するように構成された圧力センサを備える、インナーコアユニットと、
前記複数の空気袋状部の各々をポンプに対し流体的に結合する、マニフォールドと、
前記複数の空気袋状部の各々の入口にある、バルブと、
前記複数の空気袋状部のうちエンドユーザの荷重が加えられる２つ以上の空気袋状部における圧力を連続して調節して、前記複数の空気袋状部のうちの前記２つ以上の空気袋状部の中に繰り返しパターンを提供するべく、前記ポンプおよび前記バルブを選択的に動作させるように構成された、制御ユニットと、を備え、前記繰り返しパターンは、マッサージ作用を提供するように、前記複数の空気袋状部のうちの選択された１つにおける圧力の増加および後続の圧力の減少と、それに続く前記複数の空気袋状部のうちの選択された他の１つにおける圧力の増加および後続の圧力の減少とによって形成される、能動快適制御寝具システム。
【請求項２】
前記後続の圧力の減少は、それぞれの前記空気袋状部における前記圧力を加えられる前記荷重により提供される初期圧力に対して低下させる、請求項１に記載の能動快適制御寝具システム。
【請求項３】
前記複数の空気袋状部は、前記寝具システムの長手方向の軸に対し横切って位置する、請求項１に記載の能動快適制御寝具システム。
【請求項４】
前記繰り返しパターンは波状パターンである、請求項１に記載の能動快適制御寝具システム。
【請求項５】
前記複数の空気袋状部は、前記寝具システム上に横臥する前記エンドユーザの頭部、腰部および大腿部の領域に対応する前記寝具システムの長手方向の軸に対し横切って位置し、前記繰り返しパターンは、前記頭部、腰部および大腿部の領域のうちの１つまたは複数に対応する、請求項１に記載の能動快適制御寝具システム。
【請求項６】
前記寝具システムは、２名のエンドユーザを収容するように寸法決定された右側および左側をさらに備え、前記寝具システムは、前記寝具システムの幅寸法を二等分するとともに２つの下部のクレイドルフォーム層同士の間に配設されたフォーム仕切りをさらに備え、前記右側および前記左側は、前記複数の空気袋状部の分離したセットを備える、請求項１に記載の能動快適制御寝具システム。
【請求項７】
能動快適制御寝具システムであって、
マットレスを覆うマットレストッパーであって、複数の空気袋状部を備え、前記複数の空気袋状部の各々はそれぞれの空気袋状部内の圧力を測定するように構成された圧力センサを備える、マットレストッパーと、
前記複数の空気袋状部の各々をポンプに対し流体的に結合する、マニフォールドと、
前記複数の空気袋状部の各々の入口にある、バルブと、
前記複数の空気袋状部のうちエンドユーザの荷重が加えられる２つ以上の空気袋状部における圧力を連続して調節して、前記複数の空気袋状部の中に繰り返しパターンを提供するべく、前記ポンプおよび前記バルブを選択的に動作させるように構成された、制御ユニットと、を備え、前記繰り返しパターンは、マッサージ作用を提供するように、前記複数の空気袋状部のうちの選択された１つにおける圧力の増加および後続の減少と、それに続く前記複数の空気袋状部のうちの選択された他の１つにおける圧力の増加および後続の減少とによって形成される、能動快適制御寝具システム。
【請求項８】
前記複数の空気袋状部は、前記寝具システムの長手方向の軸に対し横切って位置する、請求項７に記載の能動快適制御寝具システム。
【請求項９】
前記繰り返しパターンは波状パターンである、請求項７に記載の能動快適制御寝具システム。
【請求項１０】
前記複数の空気袋状部は、前記寝具システム上に横臥する前記エンドユーザの頭部、腰部および大腿部の領域に対応する前記寝具システムの長手方向の軸に対し横切って位置し、前記繰り返しパターンは、前記頭部、腰部および大腿部の領域のうちの１つまたは複数に対応する、請求項７に記載の能動快適制御寝具システム。
【請求項１１】
前記寝具システムは、２名のエンドユーザを収容するように寸法決定された右側および左側をさらに備え、前記寝具システムは、前記寝具システムの幅寸法を二等分するとともに２つの下部のクレイドルフォーム層同士の間に配設されたフォーム仕切りをさらに備え、前記右側および前記左側は、前記複数の空気袋状部の分離したセットを備える、請求項７に記載の能動快適制御寝具システム。
【請求項１２】
能動快適制御寝具システムにおいてエンドユーザに対しマッサージ作用を提供する方法であって、
インナーコアユニットであって該インナーコアユニットに対しエンドユーザからの荷重が加えられるインナーコアユニットに提供される複数の空気袋状部内の内圧を調節する内圧調整工程を備え、前記複数の空気袋状部の各々は、それぞれの空気袋状部内の圧力を測定するように構成された圧力センサを備え、前記寝具システムの長手方向の軸に対し横切って位置し、前記内圧調整工程は、前記マッサージ作用を提供するように、前記複数の空気袋状部のうちの選択された１つにおける圧力の増加および後続の減少と、それに続く前記複数の空気袋状部のうちの選択された他の１つにおける圧力の増加および後続の減少とによって形成される繰り返しパターンを提供する工程を含む、方法。
【請求項１３】
前記複数の空気袋状部は、マットレストッパーに配設されている、請求項１２に記載の方法。
【請求項１４】
前記マッサージ作用中に前記マットレストッパーを通じる空気の上向きフローを調整する工程をさらに備える、請求項１３に記載の方法。
【請求項１５】
前記マッサージ作用中に前記マットレストッパーを通じる空気の前記上向きフローを濾過する工程をさらに備える、請求項１４に記載の方法。
【手続補正書】
【提出日】令和3年9月16日(2021.9.16)
【手続補正１】
【補正対象書類名】特許請求の範囲
【補正対象項目名】全文
【補正方法】変更
【補正の内容】
【特許請求の範囲】
【請求項１】
少なくとも１つの式（Ｉ）の化合物、
【化１】
2021505151.tif 000001
またはその食用的もしくは生物学的に許容される塩もしくは立体異性形態を含む食用組成物であって、式中、
Ｒ１は、水素またはＣ１−Ｃ６アルキルであり、
Ｒ２−Ｒ５およびＲ７は、それぞれ独立して、水素、ハロゲン、Ｃ１−Ｃ６アルキル、Ｃ１−Ｃ６アルコキシ、ヒドロキシル、またはトリフルオロメチルであり、
Ｒ６は、Ｉ、水素、Ｃ４−Ｃ６アルキル、Ｃ４−Ｃ６アルコキシ、またはヒドロキシルである、食用組成物。
【請求項２】
Ｒ１、Ｒ２、Ｒ３、Ｒ４、Ｒ６、およびＲ７が、独立して各出現において水素である、請求項１に記載の食用組成物。
【請求項３】
Ｒ５がメチルである、請求項２に記載の食用組成物。
【請求項４】
前記少なくとも１つの化合物が２−アミノ−３−（５−メチル−１Ｈ−インドール−３−イル）プロパン酸である、請求項１〜３のいずれか一項に記載の食用組成物。
【請求項５】
前記食用組成物が、前記少なくとも１つの化合物のラセミ混合物を含む、請求項１〜４のいずれか一項に記載の食用組成物。
【請求項６】
前記少なくとも１つの化合物がＤ−異性体である、請求項１〜４のいずれか一項に記載の食用組成物。
【請求項７】
前記少なくとも１つの化合物がＬ−異性体である、請求項１〜４のいずれか一項に記載の食用組成物。
【請求項８】
前記食用的または生物学的に許容される塩が、ナトリウム塩、カリウム塩、またはカルシウム塩からなる群から選択される、請求項１〜７のいずれか一項に記載の食用組成物。
【請求項９】
前記少なくとも１つの化合物のＤ−異性体が、下記構造を有する、請求項６に記載の食用組成物。
【化２】
2021505151.tif 000002
【請求項１０】
請求項１〜９のいずれか一項に記載の食用組成物を含むダイエット用甘味料組成物。
【請求項１１】
前記式（Ｉ）の化合物に加えて少なくとも１つの添加剤をさらに含む、請求項１０に記載のダイエット用甘味料組成物。
【請求項１２】
請求項１〜９のいずれか一項に記載の食用組成物または請求項１０〜１１のいずれか一項に記載のダイエット用甘味料組成物を含む消耗品。
【請求項１３】
前記消耗品が、飲料または食品である、請求項１２に記載の消耗品。
【請求項１４】
食用組成物の調製方法であって、
ａ．食用に．受け入れられる担体を提供することと、
ｂ．式（Ｉ）の少なくとも１つの化合物、
【化３】
2021505151.tif 000003
または食用的もしくは生物学的に許容される塩もしくはその立体異性形態を、前記食用に受け入れられる担体に添加することと、を含み、式中、
Ｒ１は水素またはＣ１−Ｃ６アルキルであり、
Ｒ２−Ｒ５およびＲ７は、それぞれ独立して、水素、ハロゲン、Ｃ１−Ｃ６アルキル、Ｃ１−Ｃ６アルコキシ、ヒドロキシル、またはトリフルオロメチルであり、
Ｒ６は、Ｉ、水素、Ｃ４−Ｃ６アルキル、Ｃ４−Ｃ６アルコキシ、またはヒドロキシルである、方法。
【請求項１５】
前記少なくとも１つの化合物が、２−アミノ−３−（５−メチル−１Ｈ−インドール−３−イル）プロパン酸である、請求項１４に記載の方法。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
真皮サンプルの表現型に関連する１つ以上の生化学的経路を同定するための方法であって、：
表現型を欠く少なくとも１の第1の対象の1つ以上の第1の真皮サンプルの第１のメタゲノムマトリックスを決定すること；
表現型を有する少なくとも１の第２の対象の1つ以上の第２の真皮サンプルの第２のメタゲノムマトリックスを決定すること；
前記第１のメタゲノムマトリックスと前記第２のメタゲノムマトリックスを比較すること；
前記第１のメタゲノムマトリックスと第２のメタゲノムマトリックスとの間の差異を決定すること；及び
前記差異に基づき、前記表現型に関連する少なくとも１つの生化学経路を決定すること；
を含む方法。
【請求項２】
前記真皮サンプルが、皮膚、毛髪、及び毛皮からなる群から選択される、請求項１に記載の方法。
【請求項３】
前記少なくとも１つの生化学経路の化合物である少なくとも１つの薬剤を同定することをさらに含む、請求項１又は２に記載の方法。
【請求項４】
前記第1のメタゲノムマトリックスが第1のメタトランスクリプトームを含み、且つ前記第２のメタゲノムマトリックスが第２のメタトランスクリプトームを含む、請求項１から３のいずれか一項に記載の方法。
【請求項５】
前記少なくとも１つの生化学経路のため、少なくとも１つの成分の遺伝子発現を調節する少なくとも１つの薬剤を同定することをさらに含む、請求項１から４のいずれか一項に記載の方法。
【請求項６】
請求項１から５のいずれか一項に記載の方法であって、
前記第１のメタゲノムマトリックスに基づいて、前記表現型の欠如に対応する１つ以上の第１の代謝産物の消費を決定すること；
前記第１のメタゲノムマトリックスに基づいて、前記表現型の欠如に対応する１つ以上の第２の代謝産物の蓄積を決定すること；
前記第２のメタゲノムマトリックスに基づいて、前記表現型に対応する１つ以上の第３の代謝産物の消費を決定すること；
前記第２のメタゲノムマトリックスに基づいて、前記表現型に対応する１つ以上の第４の代謝産物の蓄積を決定すること；
をさらに含む、方法。
【請求項７】
前記第１のメタゲノムマトリックスと前記第２のメタゲノムマトリックスとの間の差異は、前記１つ以上の第１の代謝産物と前記１つ以上の第３の代謝産物との間の１つ以上の第１の差異、又は前記第2の代謝産物と前記1つ以上の第4の代謝産物との間の１つ以上の第2の差異、のうちの少なくとも１つに基づいて決定される、請求項６に記載の方法。
【請求項８】
前記少なくとも１つの生化学的経路を刺激することによって皮膚マイクロバイオームを調節することをさらに含む、請求項１から７のいずれか一項に記載の方法。
【請求項９】
前記皮膚マイクロバイオームが、皮膚の健康を増強するように調節される、請求項８に記載の方法。
【請求項１０】
前記皮膚マイクロバイオームが、皮膚障害の症状を予防、阻害、または改善するように調節される、請求項９に記載の方法。
【請求項１１】
前記皮膚マイクロバイオームは、フレグランスを生成するように調節される、請求項８に記載の方法。
【請求項１２】
請求項８に記載の方法であって、ここで、前記皮膚マイクロバイオームは、対象の皮膚に組成物を適用することによって調節され、ここで、前記組成物は、前記少なくとも１つの生化学的経路を調節する、方法。
【請求項１３】
請求項１から１２のいずれか一項に記載の方法であって、前記少なくとも１つの生化学的経路が以下：
キシレン分解；グルコシノレート生合成；アミノアシル−ｔＲＮＡ生合成；ペニシリン及びセファロスポリンの生合成；バリン分解；ロイシン分解；イソロイシン分解；トリプトファン代謝；ステロイド生合成；デンプン及びスクロースの代謝；ピリミジン代謝；プリン代謝；プロパン酸(propanoate)代謝；ブタン酸（butanoate）代謝；クエン酸（citrate）サイクル；チロシン代謝；フェニルアラニン代謝；カプロラクタムの分解又は代謝；トルエンの分解；グリオキシレート代謝；ジカルボン酸(dicarboxylate)代謝；アラニン代謝；アスパラギン酸(aspartate)代謝；グルタミン酸（glutamate）代謝；プロパン酸(propanoate)代謝；ポルフィリン代謝；クロロフィル代謝；多環式芳香族炭化水素の分解；安息香酸(benzoate)の分解；ホスホン酸（phosphonate）代謝；ホスフィン酸(phosphinate)代謝；ペプチドグリカンの生合成；ペニシリン及びセファロスポリンの生合成；パントテン酸(pantothenate)及びＣｏＡの生合成；窒素代謝；シアノアミノ酸代謝；ニコチン酸(nicotinate)及びニコチンアミド代謝；ナフタレン分解；メタン代謝；グリシン代謝；セリン代謝；トレオニン代謝；リジンの分解；リポ多糖生合成；イノシトールリン酸(phosphate)代謝；インドールアルカロイドの生合成；ヒスチジン代謝；グリセロ脂質代謝；グリセロリン脂質代謝；ホスファチジルイノシトールシグナル伝達システム；フルオロ安息香酸(fluorobenzoate)の分解；脂肪酸の生合成；ダイオキシンの分解；クロロシクロヘキサン及びクロロベンゼンの分解；ブタン酸(butanoate)代謝；脂肪酸代謝；アラキドン酸代謝；アミノ糖代謝；ヌクレオチド糖代謝；ビタミンＢ６代謝；ゲラニオール分解；シントロネラ(cintronella)分解；リモネン分解；及びピネン分解；
からなる群から選択される、方法。
【請求項１４】
皮膚マイクロバイオームを調節する方法であって、以下：
前記皮膚マイクロバイオームの生化学的経路を調節する組成物を対象に投与すること；
皮膚の健康を高める化合物を生成するため、前記皮膚マイクロバイオームの前記生化学的経路を調節すること；
を含む方法。
【請求項１５】
前記組成物が、局所投与用のスプレー、スプリッツ、ローション、クリーム、血清（serum）、日焼け止め、軟膏(ointment)、油、溶液、蒸気、皮膚軟化剤、ペースト、又は軟膏(salve)として配合される、請求項１４に記載の方法。
【請求項１６】
皮膚障害を治療、予防、又は改善することによって皮膚の健康が増強される、請求項１４又は１５に記載の方法。
【請求項１７】
請求項１６に記載の方法であって、以下： 
機能的遺伝子経路又は推定的に機能的遺伝子経路の少なくとも１つを示し、且つ触媒作用プロセスを積極的に修飾する酵素及び前記触媒作用プロセスに関連する化合物の条件付き確率カウントを包含するメタボローム化合物コミュニティマトリックスを決定すること；
前記酵素又は前記触媒作用プロセスの少なくとも１つに対応する遺伝子のカウントを包含する遺伝子コミュニティ組成マトリックスを決定すること；
前記触媒作用プロセスに関連する個々の化合物の個々のスコアを生成するため、前記メタボローム化合物コミュニティマトリックスによって前記遺伝子コミュニティ組成マトリックスを変換すること；
前記個々のスコアに基づいて、前記生化学的経路が、表現型を有する対象の前記皮膚マイクロバイオームを調節するいくつかの生化学的経路のうちの１つの生化学的経路であることを特定すること；
をさらに含む方法。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
フライホイールハウジング、
回転子重量および重力方向に沿った垂直回転軸を有する回転子であり、前記垂直回転軸の周りを回転する間にエネルギーを蓄積し、磁性材料を含む回転子、
前記フライホイールハウジングに連結され、前記垂直回転軸に沿って上向きの負荷軽減力を加えるように構成され、前記回転子にかかる重力に部分的に対抗し、正味の下向きの力を生じさせる磁石、
内側部分及び外側部分を備え、前記内側部分が前記回転子の上軸に固定的に取り付けられ、前記垂直回転軸回りの前記回転子の回転が可能となっている上部軸受、および
前記フライホイールハウジングに連結され、下部が前記上部軸受の前記外側部分の下に配置されており、前記上部軸受の下向きの軸方向運動を防止する停止部として機能する上部軸受ハウジングを備え、
前記上部軸受ハウジングは前記上部軸受の上に配置されたロッキングキャップを備え、
前記上部軸受の前記内側部分は前記ロッキングキャップに接触するフライホイール装置。
【請求項２】
前記上部軸受にかかる所定の量の正味の下向きの力を維持するために、１つ以上のセンサによる測定に応じて前記磁石に電流を供給するように適合された制御システムをさらに備える請求項１に記載の装置。
【請求項３】
前記１つ以上のセンサは、前記上部軸受の外側部分の下に配置され、前記上部軸受にかかる軸方向の力の測定値を前記制御システムに提供する力センサである請求項２に記載の装置。
【請求項４】
前記制御システムは、前記軸方向の力の測定値を基準値と比較して、その差によって前記磁石への前記電流を調整する請求項３に記載の装置。
【請求項５】
前記基準値は、３０ｌｂｓから４００ｌｂｓの範囲であってもよい請求項４に記載の装置。
【請求項６】
前記力センサは、歪ゲージである請求項３に記載の装置。
【請求項７】
前記測定値の少なくとも１つは、前記磁石と前記回転子との間の磁束、前記回転子の位置、および前記磁石によって前記回転子に加えられる力からなる群から選択される請求項２に記載の装置。
【請求項８】
前記制御システムは、閉ループ制御システムである請求項２に記載の装置。
【請求項９】
前記磁石は、永久磁石を含む請求項１に記載の装置。
【請求項１０】
前記上部軸受の内側部分は前記上軸で圧入されている請求項１に記載の装置。
【請求項１１】
前記上部軸受によって上向きの垂直スラストを吸収するように構成された前記ロッキングキャップの上に配置されたバックアップスラスト軸受をさらに備える請求項１に記載の装置。
【請求項１２】
前記バックアップスラスト軸受と前記ロッキングキャップとの間にギャップがある請求項１１に記載の装置。
【請求項１３】
前記上部軸受ハウジングは前記フライホイールハウジングに連結される請求項１に記載のフライホイール装置。
【請求項１４】
前記上部軸受ハウジングは前記フライホイールハウジングの一部である請求項１に記載のフライホイール装置。
【請求項１５】
前記フライホイールハウジングに連結され、前記垂直回転軸周りの前記回転子の回転を可能に連結された下部軸受を含む下部軸受ハウジングをさらに備え、
前記下部軸受は、前記下部軸受ハウジングとの滑りばめを有し、前記回転子の軸方向寸法の増大に対応するために前記下部軸受の軸方向移動を可能にする請求項１に記載のフライホイール装置。
【請求項１６】
前記下部軸受の下であり、かつ前記下部軸受ハウジングの少なくとも一部の上に配置され、所定の予荷重力を提供するように構成され、前記回転子の軸方向寸法の増大を可能にするバネをさらに備える請求項１５に記載のフライホイール装置。
【請求項１７】
前記上部軸受ハウジングは、前記上部軸受を下から支持する請求項１に記載のフライホイール装置。